(57)【特許請求の範囲】
【請求項１】
側部と底部とからなる胴体と、
前記底部を覆う底体と、
を有する本体を備え、
前記底体に通気口を形成し、
前記胴体の底部に、前記通気口に間隙を有して配置される目隠し部を形成し、
前記胴体は、前記目隠し部の近傍に排水孔を備え、
前記目隠し部は、前記胴体の底部に形成され、前記底体の通気口から離れるように窪んだ凹部を備え、
前記排水孔は、前記凹部を構成する側面に形成したことを特徴とする加熱調理器。
【請求項２】
前記胴体の底部に形成した溝部と、前記底体の平坦面とで周囲を囲まれた通路を形成し、前記通路に、リード線を配索したことを特徴とする請求項１に記載の加熱調理器。
【請求項３】
側部と底部とからなる胴体と、
前記底部を覆う底体と、
を有する本体を備え、
前記底体に通気口を形成し、
前記胴体の底部に、前記通気口に間隙を有して配置される目隠し部を形成し、
前記胴体の底部に形成した溝部と、前記底体の平坦面とで周囲を囲まれた通路を形成し、前記通路に、リード線を配索したことを特徴とする加熱調理器。
【請求項４】
前記胴体は、前記目隠し部の近傍に排水孔を備えたことを特徴とする請求項３に記載の加熱調理器。
【発明の詳細な説明】
【技術分野】
【０００１】
本発明は、加熱調理器、特に、その底面に形成した通気口に特徴を有する加熱調理器に関するものである。
【背景技術】
【０００２】
従来、保温釜として、炊飯器本体の底部又は側部に排気用の孔を形成し、その上方あるいは側方に垂直壁部及び水平壁部を配置することにより、孔からの異物の侵入を防止すると共に、外から内部を見えなくするようにした構成が開示されている。
【先行技術文献】
【特許文献】
【０００３】
【特許文献１】特開２００３−３１０４２６号公報
【発明の概要】
【発明が解決しようとする課題】
【０００４】
しかしながら、前記従来の構成では、垂直壁部及び水平壁部を単一の部材からなる底部又は側部に形成しているため、構造が複雑で、成形加工が難しいという問題がある。
【０００５】
本発明は、簡単な構造で、容易に成形加工可能とすることにより、製造コストを低減することができる構成を備えた加熱調理器を提供することを課題とする。
【課題を解決するための手段】
【０００６】
本発明は、前記課題を解決するための手段として、
側部と底部とからなる胴体と、
前記底部を覆う底体と、
を有する本体を備え、
前記底体に通気口を形成し、
前記胴体の底部に、前記通気口に間隙を有して配置される目隠し部を形成したことを特徴とする加熱調理器。
【０００７】
この構成により、通気口を底体に形成し、目隠し部を胴体に形成することができるので、各部材での構成を簡略化し、成形加工を容易なものとすることが可能となる。
【０００８】
前記胴体は、前記目隠し部の近傍に排水孔を備えるのが好ましい。
【０００９】
この構成により、内部に浸入した水を排水孔から、既存の通気口を介してスムーズに排出することができる。
【００１０】
前記目隠し部は、前記胴体の底部に形成され、前記底体の通気口から離れるように窪んだ凹部を備え、
前記排水孔は、前記凹部を構成する側面に形成するのが好ましい。
【００１１】
この構成により、排水孔からの排水性を確保しつつ、排水孔が外部から視認されたり、外部から排水孔内へと異物が進入したりすることを防止することができる。
【００１２】
前記胴体の底部と前記底体との間に、リード線を配索可能な通路を形成するのが好ましい。
【００１３】
この構成により、胴体の底部を底体で覆うだけで、簡単にリード線の配索作業を終了することができ、組立作業性を向上させることが可能となる。また、目隠し部が形成されているので、リード線を通気口の近傍に配置しても、外部から視認されることがない。
【発明の効果】
【００１４】
本発明によれば、底体に通気口を形成し、この底体とは別体の胴体の底部に目隠し部を形成するようにしたので、各部材の構成を簡略化して成形加工を容易に行うことができる。
【図面の簡単な説明】
【００１５】
【図１】本実施形態に係る炊飯器の斜視図である。
【図２】図１を底面側から見た斜視図である。
【図３】図２の胴体のみの斜視図である。
【図４】図３の一部を破断した部分拡大図である。
【図５】図２の底体を上方側から見た斜視図である。
【図６】図５の胴体に図３の底体を装着した状態を示す上方から見た部分破断斜視図である。
【図７】図６の胴体及び底体を下方側から見た状態を示す部分破断斜視図である。
【図８】図１に示す炊飯器の断面図である。
【図９】図１に示す炊飯器の底体を除去した状態での底面図である。
【図１０】他の実施形態に係る炊飯器のリード線が配索される通路を示す部分断面図である。
【発明を実施するための形態】
【００１６】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも一致していない。
【００１７】
図１は、加熱調理器の一例である炊飯器１の斜視図である。この炊飯器１は、本体２と、この本体２に回動可能に設けた蓋体３とを備える。本体２は、合成樹脂材料で形成された胴体４と底体５を備える。そして、図８に示すように、本体２と、その内側に配置した保護枠６、等とにより内部空間が形成されている。後方側の第１内部空間７には、電源基板８のほか、蓋体３を自動閉鎖させるためのモータ、中継基板、オートクローズ基板（いずれも図示せず）等が配置されている。オートクローズ基板は、モータに駆動電力を供給するためのものである。前方側の第２内部空間９には制御基板であるＩＨ(Introduction Heating)基板１０、等が配置されている。ＩＨ基板１０は、例えば、誘導加熱コイル１１への通電を制御する。
【００１８】
図３に示すように、胴体４は、炊飯器１の外側面を構成する平面視略矩形の筒状をした側部１２と、この側部１２の底面側開口に形成される底部１３とを備える。
【００１９】
底部１３は、側部１２から内側に窪んだガイド部１４と、これに続く底面部１５とで構成されている。
【００２０】
ガイド部１４には複数箇所に補強リブ１６が形成されている。補強リブ１６は、底面側から徐々に突出寸法が大きくなり、最も突出した位置で、底体５を胴体４と面一となる（段差が発生しない）ようにガイドする。ガイド部１４が長手（図３中、Ｙ−Ｙ）方向に延びる両側中央部には第１逃がし凹部１７がそれぞれ形成されている。
【００２１】
底面部１５には、本体２の前方側と、後方側の中央部とに開口部１８ａ，１８ｂがそれぞれ形成され、その間は平板部１９によってつながっている。平板部１９の両端（第１逃がし凹部１７の近傍）部分は底面部１５から突出する円弧状のガイド面２０が形成されている。また、底面部１５からガイド面２０に沿ってガイド壁２１が突出している。ガイド面２０とガイド壁２１とによって溝部２２が形成されている。これら一対の溝部２２の少なくとも一方には、後述する複数本のリード線３５が配索される。
【００２２】
また、底面部１５には、複数箇所に平面視矩形状の凹部２３が設けられている。各凹部２３は、平板部１９を除く、前方及び後方の両側の４箇所にそれぞれ配置されている。図４に示すように、各凹部２３には、側面の一部が切除されることにより連通孔２４が形成されている。連通孔２４は、凹部２３を平面視したときには目視できない位置に開口している。また、連通孔２４は、隣接する凹部２３の間では、幅方向の逆の位置に形成されている。これにより、隣接する凹部２３に連通孔２４を形成することによる強度の低下を防止している。
【００２３】
さらに、底面部１５には、４隅近傍に筒状の貫通孔２５がそれぞれ形成されている。
【００２４】
図５に示すように、底体５は、平面視略矩形状で、周縁部が環状に突出して胴体４の底部１３の外周縁に沿って配置されるように構成されている。底体５には、４隅近傍のそれぞれからボス部２６が突出している。ボス部２６は、胴体４の底部１３に形成した貫通孔２５に挿通され、保護枠６等をネジ止めするために利用される。
【００２５】
底体５の前方部中央部分には第１吸気口２７が、両側部分には第２吸気口２８がそれぞれ形成されている。各吸気口は細長い矩形状で、複数個が並んで配置されている。また、底体５の後方部分には、底面側から平面視円形状の凹所２９（図７参照）が形成され、そこにはコードリール３０（図２参照）が配設されている。凹所２９の角部３箇所はさらに円形状に広げられ、コードリール３０をネジ止めするために利用されている。凹所２９には挿通孔３１が形成され、後述するように、コードリール３０のコードに電気接続したリード線３５が挿通し、本体２内へと延びている。図６に示すように、凹所２９を構成する突出部２９ａは、胴体４に対して底体５を組み付けた状態では、胴体４の開口部１８ｂからその円弧面２９ｂを露出させている。
【００２６】
図５に戻って、凹所２９の両側には複数の排気口３２が形成されている。各排気口３２は、前記各吸気口と同様に細長い矩形状で、複数個が並設されている。第２吸気口２８及び排気口３２は、前記各凹部２３にほぼ対向する位置に形成されている（図７に、排気口３２と凹部２３との関係を図示する。）。これにより、底面側から平面視で第２吸気口２８又は排気口３２を見たとき、その背後には連通孔２４を有するにも拘わらず、凹部２３の底面のみが視認可能な状態となる。したがって、第２吸気口２８又は排気口３２から棒状の異物が挿入されたとしても、そこには胴体４の底部１３（凹部２３の底面）が位置し、それ以上の進入が阻止される。
【００２７】
底体５の中央部には平坦面５ａが形成されている。この平坦面５ａは、胴体４に対して底体５を装着した際、胴体４の底面部１５に形成した溝部２２の開口部分を覆って通路３３を形成する。これにより、溝部２２内に配索されたリード線３５を確実に位置規制することができる。
【００２８】
底体５の両側中央部には、前記胴体４の各第１逃がし凹部１７内に位置する第２逃がし凹部３４がそれぞれ形成されている。各第２逃がし凹部３４は、指を差し入れて炊飯器１を持ち上げ、運ぶ際に利用することができる。
【００２９】
胴体４の底部１３と底体５の間には、複数本のリード線３５が配索されている。リード線３５の一端部は、前述の通り、本体２の後方側に配置したコードリール３０に電気接続されている。また、リード線３５の他端部は、ＩＨ基板１０に電気接続されている。モータは、蓋体３を自動閉鎖するためのものであり、モータの回転軸に設けたギア等を介して蓋体３の支軸を回転させる。前記炊飯器１では、このモータを後方側の第１内部空間７に配置したため、ＩＨ基板１０を、比較的スペースに余裕のある前方側の第２内部空間９へと配置している。このため、コードリール３０をＩＨ基板１０に電気接続するためのリード線３５を第１内部空間７から第２内部空間９へと配索している。
【００３０】
前記構成の炊飯器１では、胴体４に対して底体５を組み付ける際、次のようにしてリード線３５を配索する。すなわち、底体５の凹所２９にコードリール３０をネジ止めし、コードリール３０のコードに一端部を接続されたリード線３５の他端部を凹所２９に形成した挿通孔３１から引き出す。
【００３１】
保護枠６等を組み付けた胴体４に対して、底面側からコードリール３０を取り付けた底体５を取り付ける。このとき、複数本のリード線３５を凹所２９を構成する突出部２９ａの円弧面２９ｂに沿わせ、胴体４の底面部１５に形成した溝部２２内に配置する。そして、リード線３５の他端部を第２内部空間９に配置したＩＨ基板１０に電気接続する。
【００３２】
図６及び図７に示すように、胴体４に底体５を取り付けた状態では、溝部２２の開口部分が底体５によって覆われて通路３３が形成され、この通路３３内にリード線３５が保持される。また、底体５に形成した第２吸気口２８及び排気口３２の奥側には、胴体４の底面部１５及びそこに形成した凹部２３の底面が位置する。したがって、内部に収容した部品、特にリード線３５が外部から視認されることはない。また、第２吸気口２８又は排気口３２から棒状等の異物が侵入しようとしても、胴体４の底面部１５によって確実に阻止することができ、リード線等が損傷することはない。しかも、凹部２３には、その側面に連通孔２４が形成されている。したがって、他の部分から内部に浸入した水を連通孔２４を介して排出することができる。
【００３３】
このように、前記構成の炊飯器１によれば、炊飯器１の底部分を、胴体４の底面部１５と、底体５とで構成したので、胴体４に対して底体５を装着するだけで、簡単に両部材の間にリード線３５を配索することができる。しかも、配索されるリード線３５は、胴体側の溝部２２と底体側の平坦面とで形成された通路３３内に保持することができる。したがって、リード線３５が他の部材や外部からの挿入物によって損傷することがない。
【００３４】
なお、本発明は、前記実施形態に記載された構成に限定されるものではなく、種々の変更が可能である。
【００３５】
前記実施形態では、本発明の構成を、加熱調理器の例として炊飯器１に採用する場合について説明したが、炊飯器１に限らず、食器洗浄機、製パン器等、種々の電気製品に採用することができる。
【００３６】
前記実施形態では、次の点を特徴とすることもできる。
すなわち、加熱調理器を、側部と底部とからなる胴体と、前記底部を覆う底体とを有する本体を備え、前記底体に通気口を形成し、前記胴体の底部の、前記通気口に対向する位置に、側面に排水孔を有する凹部を形成した構成とする。
この構成によれば、通気口からの内部の視認性を遮断しつつ、排水孔から通気口を介して内部に浸入した水を排出することができる。
【００３７】
前記実施形態では、胴体４の底面部１５に溝部２２を形成し、底体５の一部でこれを覆って通路３３を構成するようにしたが、図１０に示すように構成することもできる。
図１０では、胴体４側に所定間隔で一対の第１壁部３６ａ，３６ｂを形成することにより溝部２２が形成されている。また、底体５側に第２壁部３７ａ，３７ｂと第３壁部３８ａ，３８ｂが形成され、前記各第１壁部３６ａ，３６ｂの両側にそれぞれ位置することにより、通路３３が形成されている。この通路３３は、両側が第１壁部３６ａ，３６ｂ、第２壁部３７ａ，３７ｂ及び第３壁部３８ａ，３８ｂによって囲まれており、優れた防水性能を発揮する。
【符号の説明】
【００３８】
１…炊飯器
２…本体
３…蓋体
４…胴体
５…底体
６…保護枠
７…第１内部空間
８…電源基板
９…第２内部空間
１０…ＩＨ基板（制御基板）
１１…誘導加熱コイル
１２…側部
１３…底部
１４…ガイド部
１５…底面部
１６…補強リブ
１７…第１逃がし凹部
１８ａ，１８ｂ…開口部
１９…平板部
２０…ガイド面
２１…ガイド壁
２２…溝部
２３…凹部（目隠し部）
２４…連通孔（排水孔）
２５…貫通孔
２６…ボス部
２７…第１吸気口
２８…第２吸気口（通気口）
２９…凹所
３０…コードリール（電力供給部）
３１…挿通孔
３２…排気口（通気口）
３３…通路
３４…第２逃がし凹部
３５…リード線
３６ａ，３６ｂ…第１壁部
３７ａ，３７ｂ…第２壁部
３８ａ，３８ｂ…第３壁部
【図１】
0006618849.tif 000002
【図２】
0006618849.tif 000003
【図３】
0006618849.tif 000004
【図４】
0006618849.tif 000005
【図５】
0006618849.tif 000006
【図６】
0006618849.tif 000007
【図７】
0006618849.tif 000008
【図８】
0006618849.tif 000009
【図９】
0006618849.tif 000010
【図１０】
0006618849.tif 000011